(57)【要約】【課題】  巻上ロープのうちかご側シーブから上方に延びる部分を整列状態に維持することにより、乗りかごを昇降路の最頂部まで上昇させることができるようにする。【解決手段】  巻上ロープ４０のうち右側のかご側シーブ６Ｒから上方に延びる部分４０ｅがその上に巻き掛けられる、上方に向かって凸な少なくとも半円柱状の外周面を有した、かご側シーブ６Ｒよりも上方に配設される案内手段２０と、巻上ロープ４０のうち案内手段２０に巻き掛けられて下方に延びる部分４０ｄの端部を固定する、案内手段２０より下方に配設されたヒッチ部３０とを備える。【選択図】  図２
2007031056.tif 000002
【特許請求の範囲】
【請求項１】
エレベータの巻上ロープのうちかご側シーブから上方に延びる部分を整列状態に維持しつつ前記巻上ロープの端部を昇降路の頂部に設けたヒッチ部へと案内する装置であって、  前記かご側シーブから上方に延びる部分がその上に巻き掛けられる、上方に向かって凸な少なくとも半円柱状の外周面を有した、前記かご側シーブよりも上方に配設された案内手段と、
前記巻上ロープのうち前記案内手段に巻き掛けられた後に下方へと延びる部分の端部を固定する、前記案内手段より下方に配設されたヒッチ部と、
を備えることを特徴とするエレベータの巻上ロープ案内装置。
【請求項２】
前記案内手段が、回動自在に支持されたシーブから構成されていることを特徴とする請求項１に記載したエレベータの巻上ロープ案内装置。
【請求項３】
前記案内手段が、上方に向かって凸状に湾曲した外周面を有する半円柱状の案内ブロックから構成されていることを特徴とする請求項１に記載したエレベータの巻上ロープ案内装置。
【請求項４】
前記案内ブロックは、弾性支持手段によって上下動自在または傾動自在に弾性支持されていることを特徴とする請求項３に記載したエレベータの巻上ロープ案内装置。
【請求項５】
前記案内ブロックは、水平回動軸によって回動自在に支持されていることを特徴とする請求項３に記載したエレベータの巻上ロープ案内装置。
【請求項６】
前記案内ブロックには、前記巻上ロープから前記案内ブロックに負荷されている荷重を検出するための荷重検出手段が並設されていることを特徴とする請求項４または５に記載したエレベータの巻上ロープ案内装置。
【請求項７】
前記案内ブロックの外周面には、その上に巻き掛けられている前記巻上ロープの長手方向の移動に伴って回動する複数のローラが回動自在に支持されていることを特徴とする請求項３，４，６のいずれかに記載したエレベータの巻上ロープ案内装置。
【請求項８】
前記案内ブロックの外周面には、前記巻上ロープを前記かご側シーブの回転軸線方向に位置決めするための複数のガイドピンが突設されていることを特徴とする請求項３乃至７のいずれかに記載したエレベータの巻上ロープ案内装置。
【請求項９】
前記案内手段および前記ヒッチ部は、前記巻上ロープが前記かご側シーブから上方へと延びた後に、前記案内手段の外周面に沿って湾曲して延びてその延び方向が上方から下方へと反転し、次いで前記案内手段から前記ヒッチ部へと下方に延びることにより、正面から見たときに逆Ｕ字形に延びるように配設されていることを特徴とする請求項１に記載したエレベータの巻上ロープ案内装置。
【請求項１０】
ガイドレールに案内されて昇降路内をそれぞれ昇降する乗りかごおよび釣合錘と、
駆動装置によって回転駆動されるトラクションシーブと、
前記トラクションシーブに巻き付けられるとともにその一端側がかご側シーブを介して前記乗りかごを懸架し、かつその他端側が前記釣合錘を懸架する巻上ロープと、
前記巻上ロープのうち前記かご側シーブから上方に延びる部分がその上に巻き掛けられた後に下方へと延びるように案内する、上方に向かって凸な少なくとも半円柱状の外周面を有した、前記かご側シーブよりも上方に配設された案内手段と、
前記巻上ロープのうち前記案内手段に巻き掛けられた後に下方へと延びる部分の端部を固定する、前記案内手段より下方に配設されたヒッチ部と、
を備えることを特徴とするエレベータ。
【請求項１１】
前記案内手段および前記ヒッチ部は、前記ガイドレールのうちの一本によって支持されており、
かつ前記案内手段を支持している支持部と前記ヒッチ部との間に、それらを上下方向に接続する補強部材が介装されていることを特徴とする請求項１０に記載したエレベータ。
【発明の詳細な説明】
【技術分野】
【０００１】
本発明は、エレベータの巻上ロープを案内する装置に関し、より詳しくは、巻上ロープのうちかご側シーブから上方に延びる部分を整列状態に維持したまま昇降路の頂部に設けたヒッチ部へと案内する技術に関する。
【背景技術】
【０００２】
従来のエレベータの全体構造について図１０を参照しつつ概説すると、乗りかご１は左右一対のかご側ガイドレール２Ｌ，２Ｒによって案内されて建物に設けた昇降路内を昇降する。
乗りかご１の前面に設けられた左右一対のドア３Ｌ，３Ｒは、左右方向に開閉する。
乗りかご１を支持するかご枠は、乗りかご１の上方で左右方向に水平に延びる上梁４を有している。
乗りかご１と上梁４との間の上下方向の隙間には、上梁４に対して水平面内で前後左右に傾斜して延びるシーブ支持梁５が設けられ、その長手方向中央部の上面が上梁４の長手方向中央部の下面に密着するように上梁４に接続されている。
シーブ支持梁５の左右両端部には、左右一対のかご側シーブ６Ｌ，６Ｒが回転自在に支持されている。
【０００３】
左側のかご側ガイドレール２Ｌの上端部近傍に配設されたトラクションシーブ７は、駆動装置８によって前後方向に延びる回転軸の回りに回転駆動される。
トラクションシーブ７には、例えば合計８本の小径ロープからなる巻上げロープ９が巻き付けられている。
トラクションシーブ７に巻き付けられた巻上げロープ９の一端側は、トラクションシーブ７から左側のかご側シーブ６Ｌに向かって下方に延びる部分９ａと、左右一対のかご側シーブ６Ｌ，６Ｒの間で水平に延びる部分と、右側のかご側シーブ６Ｒから上方に延びて右側のヒッチ部１０Ｒに固定される部分９ｃとからなり、乗りかご１を２：１ローピングで懸架している。
また、トラクションシーブ７に巻き付けられた巻上げロープ９の他端側は、釣合錘１１の上部に回転自在に支持された錘側シーブ１１ａに向かってトラクションシーブ７から下方に延びる部分９ｄと、錘側シーブ１１ａから上方に延びて左側のヒッチ部１０Ｌに固定される部分９ｅとからなり、釣合錘１１を２：１ローピングで懸架している。
【０００４】
なお、このようなエレベータの全体構造の詳細は、例えば下記特許文献１に記載されている。
また、ヒッチ部１０Ｌ，１０Ｒの構造の詳細は、例えば下記特許文献２に記載されている。
【０００５】
【特許文献１】特開２００４−１９０４号公報
【特許文献２】特開２０００−８６１１４号公報
【発明の開示】
【発明が解決しようとする課題】
【０００６】
ところで、上述した従来のエレベータにおいては、巻上ロープ９のうち右側のかご側シーブ６Ｒから上方に延びる部分９ｃの上端がヒッチ部１０Ｒに直接接続されている。
このとき、巻上ロープ９のうちかご側シーブ６Ｒに巻き付けられている部分のロープ間ピッチが約８〜１０ミリメートルであるのに対し、ヒッチ部１０Ｒにおいては、シャックルロッドやコイルばねの必要寸法上、そのロープ間ピッチは約４０〜５０ミリである。
このため、巻上ロープ９のうち右側のかご側シーブ６Ｒから上方に延びる部分９ｃは上方に向かって末広がりとなる。
【０００７】
したがって、上述した従来のエレベータにおいては、オーバーヘッド寸法（最上階の床面から昇降路の天井までの上下方向寸法）を小さくするために乗りかご１を昇降路の天井近くにまで上昇させると、巻上ロープ９のうち右側のかご側シーブ６Ｒから上方に延びる部分９ｃの末広がりの角度がより大きくなる。
これに伴い、右側のかご側シーブ６Ｒのロープ溝に対する巻上ロープの横方向の傾斜角度が大きくなるため、ロープ溝と巻上ロープとの擦れが大きくなって乗りかご１の内部における騒音が高まったり、巻上ロープ９の寿命が短くなったりする。
また、ロープ溝に対する巻上ロープの横方向の傾斜角度が大きくなりすぎると、巻上ロープがロープ溝からはずれるおそれもある。
【０００８】
そこで本発明の目的は、上述した従来技術が有する問題点を解消し、巻上ロープのうちかご側シーブから上方に延びる部分を整列状態に維持したまま昇降路の頂部に設けたヒッチ部へと案内する技術を提供することにある。
【課題を解決するための手段】
【０００９】
上記の課題を解決する本発明は、エレベータの巻上ロープのうちかご側シーブから上方に延びる部分を整列状態に維持しつつ前記巻上ロープの端部を昇降路の頂部に設けたヒッチ部へと案内する装置であって、
前記かご側シーブから上方に延びる部分がその上に巻き掛けられる、上方に向かって凸状に湾曲する外周面を有した、前記かご側シーブよりも上方に配設された案内手段と、
前記巻上ロープのうち前記案内手段に巻き掛けられた後に下方へと延びる部分の端部を固定する、前記案内手段より下方に配設されたヒッチ部と、を備えることを特徴とする。
なお、案内手段の外周面は、上方に向かって凸状な湾曲面であれば良く、例えば円柱の外周面あるいは楕円柱の外周面とすることができるが、少なくともそれらの外周面の上側半分があればよい。
また、案内手段の外周面の半径は、巻上ロープを構成するロープの線径に対し、エレベータに適用される安全基準を満たすように、具体的にはロープの線径に対して約４０倍に設定する。
【００１０】
すなわち、本発明のエレベータの巻上ロープ案内装置においては、エレベータの巻上ロープのうちかご側シーブから上方に延びる部分が、ヒッチ部に直接固定されるのではなく、案内手段の外周面の上に巻き掛けられてその進行方向が反転し、下方に延びてからヒッチ部に固定される。
これにより、巻上ロープのうちかご側シーブと案内手段との間で延びる部分は、かご側シーブに巻き付けられている部分と同一な整列状態、すなわち互いに平行で所定のロープ間ピッチが維持された状態に保つことができる。
これに対して、巻上ロープのうち案内手段とヒッチ部との間で延びる部分は下方に向かって末広がりとなるが、ヒッチ部を十分に下方に配置することによってその末広がりの角度を小さくすることができる。
さらに、案内手段は、ヒッチ部に設けられているコイルばねの伸縮量に応じた微少な角度において回動し、上下動しあるいは傾動するだけであるから、巻上ロープのうち案内手段とヒッチ部との間で延びる部分と案内手段との摩擦による擦れ音が発生することもなければ、この部分に寿命低下が生じることもない。
【００１１】
案内手段は、かご側シーブと同様な案内シーブから構成することができる。
このとき、かご側シーブおよび案内シーブは、その回転軸線が互いに平行であり、かつかご側シーブのロープ溝から延び出た巻上ロープがそれらの回転軸線に対して横方向に傾斜することなく案内シーブのロープ溝に入るように位置決めされる。
なお、案内シーブは完全な円形である必要はなく、半円形に構成することもできる。
【００１２】
また、案内手段は、上方に向かって凸状に湾曲した外周面を有する半円柱状あるいは半楕円柱状の案内ブロックから構成することができる。
このとき、この案内ブロックの外周面には、ロープ溝を凹設することもできるし、巻上ロープをかご側シーブの回転軸線方向に位置決めするためのガイドピンを突設することもできる。
さらに、案内ブロックの外周面に複数のローラを回動自在に支持し、巻上ロープがその長手方向に移動するときにこれらのローラが回動するようにして、巻上ロープの移動を滑らかに案内することもできる。
【００１３】
また、案内ブロックを弾性手段によって弾性支持することができる。
弾性手段は、ゴム板を積層して形成することもできるし、コイルばねを用いることもできる。
これにより、ヒッチ部に設けられているコイルばねの作用によって巻上ロープがその長手方向に移動するときに、案内ブロックはその上下動あるいはその傾動によって追従することができる。
【００１４】
さらに、ヒッチ部において巻上ロープを弾性的に支持しているコイルばねを省略しても、案内ブロックを弾性支持している弾性手段によって巻上ロープを弾性的に支持することができる。
このとき、案内ブロックと弾性手段との間、あるいはこの案内ブロックを支持している支持部と弾性手段との間にロードセル等の荷重検出手段を介装することにより、巻上ロープに負荷されている荷重を検出することができる。
【００１５】
案内手段およびヒッチ部は、巻上ロープがかご側シーブから上方へと延びた後に、案内手段の外周面に沿って湾曲して延びてその延び方向が上方から下方へと反転し、次いで案内手段からヒッチ部へと下方に延びることにより、正面から見たときに逆Ｕ字形に延びるように配設する。
さらに、案内手段を支持している支持部とヒッチ部との間に上下方向に延びる補強部材を介装する。
これにより、巻上ロープが案内手段を下方に押し下げる力と、巻上ロープがヒッチ部を上方に持ち上げる力とが打ち消し合うことになるので、案内手段およびヒッチ部を支持している１本のガイドレールに負荷される曲げモーメントを小さくすることができる。
【発明の効果】
【００１６】
本発明の巻上ロープ案内手段によれば、エレベータの巻上ロープのうちかご側シーブから上方に延びる部分をかご側シーブに巻き付けられている部分と同一な整列状態に維持することができるから、かご側シーブのロープ溝と巻上ロープとの擦れ音の発生や巻上ロープの寿命低下を防止することができる。
【発明を実施するための最良の形態】
【００１７】
以下、図１乃至図９を参照し、本発明に係るエレベータの巻上ロープ案内装置の各実施形態について詳細に説明する。
なお、以下の説明においては、前述した従来技術を含めて同一の部分には同一の符号を用いるとともに、乗りかごのドアが開閉する方向を左右方向と、乗客が乗りかごに出入りする方向を前後方向と、鉛直方向を上下方向と言う。
【００１８】
第１実施形態
まず最初に図１〜図４を参照し、第１実施形態のエレベータの巻上ロープ案内装置について詳細に説明する。
【００１９】
本第１実施形態の巻き上げロープの案内装置を備えたエレベータの乗りかご１は、左右一対のかご側ガイドレール２Ｌ，２Ｒによって案内されて昇降路内を昇降する。
乗りかご１の前面に設けられた左右一対のドア３Ｌ，３Ｒは、左右方向に開閉する。
乗りかご１を支持するかご枠は、乗りかご１の上方で左右方向に水平に延びる上梁４を有している。
乗りかご１と上梁４との間の上下方向の隙間には、上梁４に対して水平面内で前後左右に傾斜して延びるシーブ支持梁５が設けられ、その長手方向中央部の上面が上梁４の長手方向中央部の下面に密着するように上梁４に接続されている。
シーブ支持梁５の左右両端部には、左右一対のかご側シーブ６Ｌ，６Ｒが回転自在に支持されている。
【００２０】
右側のかご側ガイドレール２Ｒの上端部近傍には、案内手段２０が配設されている。
この案内手段２０は、右側のかご側シーブ６Ｒと同一形状かつ同一寸法の案内シーブ２１を架台上に回動自在に支持したものである。
この架台は、右側のかご側ガイドレール２Ｒの背面に固定された背面板２２と、この背面板２２の前端に固定された水平板２３とを有している。
そして、水平板２３上にブラケットを介して支持された回動軸２４により、案内シーブ２１は回動自在に支持されている。
【００２１】
このとき、右側のかご側シーブ６Ｒおよび案内シーブ２１は、図３および図４に示したように、その回転軸線が互いに平行であり、かつ右側のかご側シーブ６Ｒのロープ溝から上方に延び出た巻上ロープがそれらの回転軸線に対して横方向に傾斜することなく案内シーブ２１のロープ溝に入るように位置決めされている。
【００２２】
右側のかご側ガイドレール２Ｒのうち案内手段２０より下方の部分には、ヒッチ部３０が固定されている。
このヒッチ部３０は、右側のかご側ガイドレール２Ｒによって支持された水平板３１、巻上ロープの端部が接続されるシャックルロッド３２、および巻上ロープを弾性支持するためのコイルばね３３とを有している。
【００２３】
また、ヒッチ部３０の水平板３１の前端と、案内シーブ２１側の水平板２３の前端とは、上下方向に延びる補強板２５によって接続されている。
これにより、巻上ロープから案内シーブ２１に負荷される下向きの荷重と、巻上ロープからヒッチ部３０に負荷される上向きの荷重とが互いに打ち消し合うため、片持ち梁状に支持されている案内シーブ２１が傾くことを防止できるばかりでなく、右側のかご側ガイドレール２Ｒに作用する曲げモーメントを低減することができる。
【００２４】
左側のかご側ガイドレール２Ｌの上端部近傍に配設されたトラクションシーブ７は、駆動装置８によって、前後方向に延びる回転軸の回りに回転駆動される。
トラクションシーブ７には、例えば合計８本の、例えば線径が５ミリの小径ロープからなる巻上げロープ４０が巻き付けられている。
【００２５】
トラクションシーブ７に巻き付けられている巻上げロープ４０の一端側は、トラクションシーブ４０から左側のかご側シーブ６Ｌに向かって下方に延びる部分４０ａと、左右一対のかご側シーブ６Ｌ，６Ｒの間で水平に延びる部分４０ｂ（図３）と、右側のかご側シーブ６Ｒから案内シーブ２１へと上方に延びる部分４０ｃと、案内シーブ２１から下方に延びてヒッチ部３０に固定される部分４０ｄとからなり、乗りかご１を２：１ローピングで懸架している。
すなわち、巻上ロープ４０は、図４に示したように正面から見たときに、右側のかご側シーブ６Ｒから案内シーブ２１を介してヒッチ部３０へと逆Ｕ字形に延びている。
【００２６】
また、トラクションシーブ７に巻き付けられている巻上げロープ４０の他端側は、釣合錘１１の上部に回転自在に支持されている錘側シーブ１１ａに向かってトラクションシーブ７から下方に延びる部分４０ｄと、錘側シーブ１１ａに巻き付けられてから上方に延びて左側のヒッチ部１０Ｌに固定される部分４０ｅとからなり、釣合錘１１を２：１ローピングで懸架している。
なお、釣合錘１１は、前後一対の錘側ガイドレール１１ｆ，１１ｒ（図３）により案内されて駆動装置８の下方で昇降する。
【００２７】
すなわち、本第１実施形態のエレベータの巻上ロープ案内装置１００は、案内手段２０とヒッチ部３０とを備えている。
そして、巻上ロープ４０のうち右側のかご側シーブ６Ｒから上方に延びる部分４０ｃは、案内シーブ２１の外周面上に巻き掛けられてその進行方向が上下に反転し、下方に延びてからヒッチ部３０に固定されている。
これにより、巻上ロープ４０のうち右側かご側シーブ６Ｒと案内シーブ２１との間で延びる部分は、かご側シーブ６Ｒに巻き付けられている部分と同一な整列状態、すなわち互いに平行で所定のロープ間ピッチが維持された状態に保つことができる。
【００２８】
これに対して、巻上ロープ４０のうち案内シーブ２１とヒッチ部３０との間で延びる部分４０ｄは下方に向かって末広がりとなるが、ヒッチ部３０を十分に下方に配置することによってその末広がりの角度を小さくすることができる。
さらに、案内シーブ２１は、ヒッチ部３０に設けられているコイルばね３３の伸縮量に応じた微少な角度において回動するだけであるから、巻上ロープ４０のうち案内シーブ２１とヒッチ部３０との間で延びる部分４０ｄと案内シーブ２１のロープ溝との摩擦による擦れ音が発生することもなければ、この部分４０ｅで巻上ロープ４０の寿命低下が生じることもない。
【００２９】
第２実施形態
次に図５を参照し、第２実施形態の巻上ロープ案内装置１１０について説明する。
【００３０】
本第２実施形態の巻上ロープ案内装置１１０における案内手段５０は、上方に向かって凸状に湾曲した外周面を有する半円柱状の案内ブロック５１から構成されている。
この案内ブロック５１は、右側のかご側シーブ６Ｒと外径が同一で、かつ軸線方向寸法がより大きい半円柱状の金属製の部材である。
【００３１】
そして、この案内ブロック５１の下面と架台の水平板２３との間には、複数のゴム板５２を積層して形成した弾性手段が介装されている。
これにより、ヒッチ部３０に設けられているコイルばね３３の伸縮に応じた巻上ロープ４０の長手方向の移動に対して、案内ブロック５１はその上下動および傾動によって追従することができる。
このとき、案内ブロック５１は、ヒッチ部３０に設けられているコイルばね３３の伸縮量に応じた微少な角度において上下動しあるいは傾動するだけであるから、巻上ロープ４０のうち案内ブロック５１とヒッチ部３０との間で延びる部分４０ｄと案内ブロック５１の外周面の摩擦による擦れ音が発生することもなければ、この部分４０ｄに寿命低下が生じることもない。
【００３２】
第３実施形態
次に図６を参照し、第３実施形態の巻上ロープ案内装置１２０について説明する。
【００３３】
本第３実施形態の巻上ロープ案内装置１２０は、上述した第２実施形態の巻上ロープ案内装置１１０に対し、複数のゴム板５２を積層してなる弾性手段と架台の水平板２３との間にロードセル（荷重検出手段）５３が介装されている点、およびヒッチ部３０からコイルばね３３が取り除かれている点で相違している。
【００３４】
すなわち、本第３実施形態の巻上ロープ案内装置１２０によれば、乗りかご１の重量をロードセル５３によって検出するとともに、制御板ＣＰ（図３）はこの検出結果に基づいて駆動装置８の作動を制御することができる。
また、複数のゴム板５２を積層してなる弾性手段によって、ヒッチ部３０におけるコイルばね３３と同様に巻上ロープ４０を弾性支持することができる。
なお、ヒッチ部３０からコイルばね３３を取り除いたことに合わせて、ゴム板５２の弾性係数を高めることが好ましい。
【００３５】
第４実施形態
次に図７を参照し、第４実施形態の巻上ロープ案内装置１３０について説明する。
【００３６】
本第４実施形態の巻上ロープ案内装置１３０は、上述した第３実施形態の巻上ロープ案内装置１２０に対し、案内ブロック５１を弾性支持している弾性手段が複数のコイルばね５４から構成されている点で相違している。
【００３７】
すなわち、本第４実施形態の巻上ロープ案内装置１３０においては、複数のコイルばね５４から形成された弾性手段によって、案内ブロック５１を上下動自在かつ傾動自在に支持することができるとともに、ヒッチ部３０におけるコイルばね３３と同様に巻上ロープ４０を弾性支持することができる。
【００３８】
第５実施形態
次に図８を参照し、第５実施形態の巻上ロープ案内装置１４０について説明する。
【００３９】
本第５実施形態の巻上ロープ案内装置１４０は、上述した第２実施形態の巻上ロープ案内装置１１０に対して、案内手段６０の案内ブロック６１と架台の水平板２３との間に弾性手段が介装されていない点、および案内ブロック６１の外周面に複数のローラが回動自在に埋設されている点で相違している。
【００４０】
すなわち、本第５実施形態の巻上ロープ案内装置１４０においては、案内ブロック６１の外周面に断面形状が半円形の凹溝が凹設されているとともに、これらの凹溝の内部に円柱状のローラがそれぞれ回動自在に収納され、これらのローラ上に巻上ロープ４０が巻き掛けられている。
これにより、ヒッチ部３０に設けられているコイルばね３３の伸縮に応じて巻上ロープがその長手方向に移動すると、各ローラが滑らかに回動する。
したがって、巻上ロープ４０のうち案内ブロック６１とヒッチ部３０との間で延びる部分４０ｄと案内ブロック６１の外周面の摩擦による擦れ音が発生することもなければ、この部分４０ｄに寿命低下が生じることもない。
【００４１】
第６実施形態
次に図９を参照し、第６実施形態の巻上ロープ案内装置１５０について説明する。
【００４２】
本第６実施形態の巻上ロープ案内装置１５０は、上述した第１実施形態の巻上ロープ案内装置１００に対して、案内手段７０が回動自在に支持された半円柱状の案内ブロック７１から構成されている点、および案内ブロック７１の外周面にはロープ溝が凹設されておらず、ガイドピンによって巻上ロープを案内している点において相違している。
【００４３】
すなわち、本第６実施形態の巻上ロープ案内装置１５０においては、半円柱状の案内ブロック７１が、架台の水平板２３上に固定されたブラケット７２と水平回動軸７３、および左右一対の回動規制ストッパ７４により、所定の回動範囲内で回動できるように支持されている。
また、案内ブロック７１の外周面にはロープ溝が凹設されておらず、外周面の前端部分および後端部分には複数のガイドピン７５がそれぞれ円周方向に並ぶように植設されている。
これにより、案内ブロック７１の外周面に巻き掛けられている巻上ロープ４０は、その全体がこれらのガイドピンによって前後方向に挟装されているから、巻上ロープ４０のうち右側のかご側シーブ６Ｒと案内ブロック７１との間で延びる部分４０ｅを整列状態に維持することができる。
なお、回動規制ストッパ７４は、ヒッチ部３０に設けられているコイルばね３３の伸縮に応じて巻上ロープ４０がその長手方向に移動することを妨げないように、その位置が定められている。
【００４４】
以上、本発明に係るエレベータの巻上ロープ案内装置の各実施形態について詳しく説明したが、本発明は上述した実施形態によって限定されるものではなく、種々の変更が可能であることは言うまでもない。
例えば、上述した第２実施形態における案内ブロック５１あるいは上述した第６実施形態における案内ブロック７１等が、いずれも半円柱状に形成されているが、半楕円柱状に形成することもできる。
【図面の簡単な説明】
【００４５】
【図１】第１実施形態の巻上ロープ案内装置を有したエレベータを示す斜視図。
【図２】図１に示したエレベータの要部拡大斜視図。
【図３】図１に示したエレベータの平面図。
【図４】図１に示したエレベータの要部正面図。
【図５】第２実施形態の巻上ロープ案内装置の要部拡大正面図。
【図６】第３実施形態の巻上ロープ案内装置の要部拡大正面図。
【図７】第４実施形態の巻上ロープ案内装置の要部拡大正面図。
【図８】第５実施形態の巻上ロープ案内装置の要部拡大正面図。
【図９】第６実施形態の巻上ロープ案内装置の要部拡大正面図。
【図１０】従来のエレベータを示す斜視図。
【符号の説明】
【００４６】
ＣＰ  制御盤
１  乗りかご
２Ｌ，２Ｒ  かご側ガイドレール  
３Ｌ，３Ｒ  ドア
４  上梁
５  シーブ支持梁
６Ｌ，６Ｒ  かご側シーブ
７  トラクションシーブ
８  駆動装置
９  巻上ロープ
１０Ｌ，１０Ｒ  ヒッチ部
１１  釣合錘
１１ａ  錘側シーブ
２０  案内手段
２１  案内シーブ
２５  補強板
３０  ヒッチ部
３１  水平板
３２  シャックルロッド
３３  コイルばね
４０  巻上ロープ
５０  案内手段
５１  案内ブロック
５２  ゴム板
５３  ロードセル（荷重検出手段）
５４  コイルばね
６０  案内手段
６１  案内ブロック
７０  案内手段
７１  案内ブロック
７３  水平回動軸
７４  回動規制ストッパ
７５  ガイドピン
１００  第１実施形態の巻上ロープ案内装置
１１０  第２実施形態の巻上ロープ案内装置
１２０  第３実施形態の巻上ロープ案内装置
１３０  第４実施形態の巻上ロープ案内装置
１４０  第５実施形態の巻上ロープ案内装置
１５０  第６実施形態の巻上ロープ案内装置
【図１】
2007031056.tif 000003
【図２】
2007031056.tif 000004
【図３】
2007031056.tif 000005
【図４】
2007031056.tif 000006
【図５】
2007031056.tif 000007
【図６】
2007031056.tif 000008
【図７】
2007031056.tif 000009
【図８】
2007031056.tif 000010
【図９】
2007031056.tif 000011
【図１０】
2007031056.tif 000012